(57)【要約】【課題】電源プラグに簡単に取り付けることができ、電源プラグがコンセントに完全に差し込まれた状態からずれた場合でもトラッキングを防止することができ、趣向性に優れ、低コストで製造することができる電源プラグシートを提供すること。【解決手段】電源プラグの端子を貫通させて装着するトラッキング防止用の電源プラグシートであって、該コンセントと電源プラグとの間の隙間を埋めるものであり、電源プラグの差し込み面の形状と実質的に同一であり、電源プラグの端子が貫通される部分は、切り込みだけで形成されており、該切り込みに端子を貫通させた際に、端子の周辺で盛り上がる部分が、コンセントの差し込み口の窪みに密着して隙間を完全に埋めることができるように、該切り込みの両末端に該切り込みに対して垂直に盛り上がり用切り込みを有し、略直方体であり、その表面には装飾ができるようになっている電源プラグシート。【選択図】図１
2013026126.tif 000002
【特許請求の範囲】
【請求項１】
電源プラグの端子を貫通させて、電源プラグの差し込み面に装着するトラッキング防止用の電源プラグシートであって、
該電源プラグがコンセントに差し込まれた際に該コンセントの外面と電源プラグの差し込み面との間の隙間を埋めるものであり、
電源プラグシートのシート面の形状は、差し込まれる電源プラグの差し込み面の形状と実質的に同一であり、
該電源プラグシートの電源プラグの端子が貫通される部分は、切り込みだけで形成されており、
該電源プラグシートの切り込みに電源プラグの端子を貫通させた際に、電源プラグシートにおける差し込まれた電源プラグの端子の周辺で盛り上がる部分が、電源プラグがコンセントに差し込まれたときに該コンセントの差し込み口が有する窪みと密着し、電源プラグとコンセントとの隙間を完全に埋めることができるように、該切り込みの両末端に該切り込みに対して垂直に盛り上がり用切り込みを有し、
複数の電源プラグシートをシート状で製造できるように製品形状は略直方体になっており、その表面には装飾ができるようになっていることを特徴とする電源プラグシート。
【請求項２】
該電源プラグシート自体の厚さは１．５ｍｍ以上であり、
電源プラグがコンセントに完全に差し込まれた状態では常に押されている状態になるものであり、
該押されている状態で該電源プラグシートの厚さが、電源プラグシート自体の厚さの１／５〜４／５となるような材質でできている請求項１に記載の電源プラグシート。
【請求項３】
電源プラグシートの材質のヤング率が１００ＭＰａ以下である請求項１又は請求項２に記載の電源プラグシート。
【請求項４】
電源プラグがコンセントに差し込まれる際にコンセントの外面と接触するシート面側に補助層を有する請求項１ないし請求項３の何れかの請求項に記載の電源プラグシート。
【請求項５】
電源プラグがコンセントに完全に差し込まれ、押されている状態での該電源プラグシートの厚さが１．５ｍｍ以下となるような材質でできている請求項１ないし請求項４の何れかの請求項に記載の電源プラグシート。
【請求項６】
電源プラグシートの表面に、文字、図及び／又は色彩が施されている請求項１ないし請求項７の何れかの請求項に記載の電源プラグシート。
【発明の詳細な説明】
【技術分野】
【０００１】
本発明はトラッキング防止用の電源プラグシートに関し、更に詳しくは、電源プラグとコンセントとの間にできる隙間をなくしてトラッキングを防止するための電源プラグシートに関するものである。
【背景技術】
【０００２】
近年、パソコン、テレビ等の周辺機器や電化製品の多様化が進み、家庭内では数多くの電気機器が使用されている。そして、これらの電気機器の電源プラグはコンセントに差し込まれたままの状態で長期間使用することが多い。
しかし、このように長期間プラグがコンセントに差し込まれたままの状態であると、プラグとコンセントとの間にほこり等が蓄積し、トラッキング（ほこりの蓄積等による漏電現象）が発生し火災発生の原因となることがある。
【０００３】
そこで、トラッキングを防止するための防止器具が種々開発されている。例えば、プラグの根元の部分にゴム状の軟質カバーを嵌め込んで固定するタイプのものが種々知られている（例えば、特許文献１、特許文献２）。
しかし、この種の電源プラグカバーは、電源プラグの根元まで直接嵌め込まなければならず、更にはプラグの形状に合わないものもあり、汎用性に劣っていた。
【０００４】
また、コンセントの差し込み口周辺に直接取り付けてトラッキングを防止するシール剤（特許文献３、特許文献４）や、プラグの端子にゴム等の絶縁リングを嵌め込んでトラッキングを防止する方法も知られているが、何れもプラグがコンセントからずれた場合には、コンセントとプラグとの間に隙間ができてしまい、トラッキングを完全に防止することができていなかった。
【０００５】
そこで、コンセントとそこに差し込まれる電源プラグとの間の安全性を向上させるために、更なる開発が望まれていた。
【先行技術文献】
【特許文献】
【０００６】
【特許文献１】特開平９−２１３４０４号公報
【特許文献２】特開平１１−３５４１８７号公報
【特許文献３】特開２０００−０７７１２９号公報
【特許文献４】特開２００１−０８５１０５号公報
【発明の概要】
【発明が解決しようとする課題】
【０００７】
本発明は上記背景技術に鑑みてなされたものであり、本発明の課題は、汎用の電源プラグ全てに簡単に取り付けることができ、電源プラグとコンセントとの隙間を完全に埋めることができる電源プラグシートを提供することにある。
更に、長期間の使用により当該電源プラグがコンセントに完全に差し込まれた状態からずれた場合でも、隙間へのほこり等の侵入を抑制しトラッキングを好適に防止することができる電源プラグシートを提供することにある。
また、趣向性に優れ、低コストで製造することができる電源プラグシートを提供することにある。
【課題を解決するための手段】
【０００８】
本発明者は、上記の課題を解決すべく鋭意検討を重ねた結果、電源プラグの端子が貫通される部分を切り込みだけで形成することにより、電源プラグシートにおける差し込まれた電源プラグの端子の周辺で盛り上がる部分が、電源プラグがコンセントに差し込まれたときに該コンセントの差し込み口に有する窪みと密着し、電源プラグとコンセントとの隙間を完全に埋めることができることを見出し本発明に至った。
【０００９】
更に、電源プラグシートを従来品より柔らかい材質にし、通常の状態での電源プラグシートの厚さとコンセントに差し込まれた状態での厚さを特定の範囲になるようなものとすれば、電源プラグがコンセントに完全に差し込まれた状態からずれた場合でも、電源プラグシートが変形することにより、電源プラグとコンセントとの間に隙間ができずにトラッキングを好適に防止できることを見出し本発明に至った。
【００１０】
また、複数枚をシート状で製造でき、該シート上に装飾を施すことができるようにすることにより趣向性に優れたものができることを見出し本発明に至った。
【００１１】
すなわち、本発明は、電源プラグの端子を貫通させて、電源プラグの差し込み面に装着するトラッキング防止用の電源プラグシートであって、
該電源プラグがコンセントに差し込まれた際に該コンセントの外面と電源プラグの差し込み面との間の隙間を埋めるものであり、
電源プラグシートのシート面の形状は、差し込まれる電源プラグの差し込み面の形状と実質的に同一であり、
該電源プラグシートの電源プラグの端子が貫通される部分は、切り込みだけで形成されており、該電源プラグシートの切り込みに電源プラグの端子を貫通させた際に、電源プラグシートにおける差し込まれた電源プラグの端子の周辺で盛り上がる部分が、電源プラグがコンセントに差し込まれたときに該コンセントの差し込み口に有する窪みと密着し、電源プラグとコンセントとの隙間を完全に埋めることができるように、該切り込みの両末端に該切り込みに対して垂直に盛り上がり用切り込みを有し、
複数の電源プラグシートをシート状で製造できるように製品形状は略直方体になっており、その表面には装飾ができるようになっていることを特徴とする電源プラグシートを提供するものである。
【発明の効果】
【００１２】
本発明によれば、電源プラグシートにおける差し込まれた電源プラグの端子の周辺で盛り上がる部分が、電源プラグがコンセントに差し込まれたときに該コンセントの差し込み口に存在する窪みと密着し、電源プラグとコンセントとの隙間を完全に埋めることができる。
【００１３】
更に、電源プラグがコンセントに完全に差し込まれた状態からずれた場合であっても、本発明の電源プラグシートが変形することにより、電源プラグとコンセントとの間に隙間ができずにトラッキングを好適に防止することができる電源プラグシートを提供することができる。
特に、本発明の電源プラグシートの材質のヤング率を十分に小さくすることによって、電源プラグシートの厚さを、電源プラグシートの場所によらずに容易に変わるようにすれば、電源プラグがコンセントに斜めに差し込まれた状態になった場合であっても、電源プラグとコンセントとの間に隙間ができずにトラッキングを好適に防止することができる。
【００１４】
また、複数の電源プラグシートをシート状で製造でき、更には、電源プラグの端子が貫通される部分が切り込みだけで形成されているので、その表面には開口面積のある穴は実質的になく、そのため、表面に途切れのない装飾ができる。
その表面には文字や図等の装飾ができるようになっているので、趣向性を高めたり、公告宣伝用に用いたりすることができ、複数の電源プラグシートをシート状で製造した場合には、複数の電源プラグシートにわたり、連続した、大きな又は繰り返しのある、文字、図、色彩等の装飾ができるので、趣向性を更に高められる。
【００１５】
電源プラグの端子が貫通される部分が切り込みだけで形成されているので、電源プラグの端子を貫通させた際、電源プラグの端子がしっかり電源プラグシートに嵌り込み外れ難くなるだけではなく、低コストで製造することができる。
【図面の簡単な説明】
【００１６】
【図１】本発明の電源プラグシートの一例を示す斜視図である。
【図２】本発明の電源プラグシートが装着された電源プラグがコンセントに差し込まれる状態の一例を示す断面図である。  （ａ）電源プラグシートが装着されたときの電源プラグの断面図である。  （ｂ）電源プラグがコンセントに完全に差し込まれているときの断面図である。
【図３】本発明の電源プラグシートが装着された電源プラグがコンセントに差し込まれる状態の一例を示す側面図である。  （ａ）電源プラグシートが装着され、電源プラグがコンセントに差し込まれる前の状態を示す図である。  （ｂ）電源プラグがコンセントに完全に差し込まれている状態を示す図である。  （ｃ）電源プラグがコンセントに完全に差し込まれた状態からずれた状態を示す図である。
【図４】複数の本発明の電源プラグシートをシート状で製造したときの製品形態の一例を示す図である。
【発明を実施するための形態】
【００１７】
以下、本発明の実施の形態について図面を参照しながら説明するが、本発明は以下の実施の形態に限定されるものではなく、本発明の範囲内で任意に変形して実施することができる。
【００１８】
図１に、本発明の電源プラグシートの好ましい一例を示す。本発明の電源プラグシート１１は、電源プラグ１の差し込み面に装着され、電源プラグ１がコンセント３に差し込まれている状態で、コンセント３の外面と電源プラグ１の差し込み面との間の隙間をうめてトラッキング（ほこり等の蓄積による漏電現象）を防止できるようになっている。
【００１９】
本発明の電源プラグシート１１は、通常の家庭用の電源プラグ１に装着できる大きさであれば、特に制限はないが、電源プラグシート１１のシート面の形状は、差し込まれる電源プラグ１の差し込み面の形状と実質的に同一であり、かつ、図１に示すような長方形である。
本発明の電源プラグシート１１の製品形状は略直方体であり、縦は、好ましくは１０〜２５ｍｍ、特に好ましくは１２〜２０ｍｍである。横は、好ましくは１８〜３５ｍｍ、特に好ましくは２０〜３０ｍｍである。
装着する電源プラグ１の形状等に合わせて電源プラグシート１１の大きさは適宜変更することができる。
【００２０】
通常、家庭用のコンセント３に電源プラグ１を完全に差し込んだ状態では、電源プラグ１とコンセント３との隙間は１．５ｍｍ以下なので、電源プラグ１とコンセント３との隙間を完全になくすため等から、電源プラグシート１１は当該隙間と同等以上の１．５ｍｍ以上の厚さであることが好ましい。
一方で、電源プラグシート１１が厚過ぎる場合には、電源プラグシート１１の反発力で電源プラグ１がコンセント３から抜け易くなる場合があるので、電源プラグシート１１の厚さは１０ｍｍ以下であることが好ましい。より好ましくは１．６〜８ｍｍであり、特に好ましくは１．７〜５ｍｍである。
【００２１】
本発明の電源プラグシート１１は、電源プラグ１の端子２が貫通される部分に切り込み１２を２箇所に有する。２箇所の切り込み１２の間隔は、汎用の電源プラグ１の端子２の幅や汎用のコンセント３の端子受け４の幅に一致するようになっている。
電源プラグシート１１の表面は、端子２が貫通される部分としては切り込み１２だけを有し、端子２が貫通される部分としては開口面積のある穴は実質的に有さない。
そのため、後述するように、電源プラグ１の端子２から電源プラグシート１１が外れ難くなり、また、差し込まれた電源プラグ１の端子２の周辺で盛り上がる部分が生じてコンセントの差し込み口が有する窪みと密着するようになり、また、電源プラグシートの複数枚をシート状で、低コストで製造することができ、また、その表面には途切れのない装飾を施すことができるようになる。
【００２２】
図２に本発明の電源プラグシート１１が装着された電源プラグ１がコンセント３に差し込まれる状態の一例を示す。図２（ａ）に示すように、電源プラグシート１１に電源プラグ１の端子２を貫通させた際に、電源プラグシート１１が、端子２が貫通された際に切り込みの周辺で盛り上がる点で、それぞれの切り込み（切り込み１２と下記する盛り上がり用切り込み１３よりなる）は、図１に示すようにアルファベット大文字の「Ｉ」型又は「左（又は右）に９０度回転したＨ」型であることが好ましい。
【００２３】
すなわち、該各切り込みの両末端に該切り込みに対して垂直に、「盛り上がり用切り込み１３」を有する。該電源プラグシート１１における端子２の周辺で盛り上がる部分が、電源プラグ１がコンセント３に差し込まれたときに該コンセント３の差し込み口に有する窪み５と密着し、電源プラグ１とコンセント３との隙間を完全にうめることができる（図２（ｂ））。盛り上がり用切り込み１３は、図１に示すように、該２個の各切り込みの両末端に、それぞれ該切り込みに対して垂直に、計４個あることが好ましい。
【００２４】
切り込み１２の長さは、当然、汎用の電源プラグ１の端子２の幅と同等又は大きくなければならないが、５〜１２ｍｍが好ましく、６．２〜１０ｍｍがより好ましく、６．４〜８ｍｍが特に好ましい。
【００２５】
１個の盛り上がり用切り込み１３の長さ（Ｌ）は、電源プラグシート１１において、貫通された端子２の周辺で盛り上がる部分を形成するに好適な長さであれば特に限定はなく、また、電源プラグシートのヤング率又は後述する補助層のヤング率等によって調節されればよいが、３〜７ｍｍが好ましく、３．５〜６ｍｍがより好ましく、４〜５．５ｍｍが特に好ましい。盛り上がり用切り込み１３の長さが、長過ぎたり、短過ぎたりする場合には、上記のように電源プラグ１とコンセント３との隙間を完全に埋めることができない場合がある。
【００２６】
図３に、本発明の電源プラグシート１１が装着された電源プラグ１がコンセント３に差し込まれる状態の一例を示す。
図３（ａ）は、電源プラグシート１１が貫通され、電源プラグ１がコンセント３に差し込まれる前の状態を示す図である。
次に、図３（ｂ）は、電源プラグ１がコンセント３に完全に差し込まれている状態を示す図である。上述したように、このときの電源プラグシート１１は押されている状態であることが好ましい。すなわち、本発明の電源プラグシート１１は、電源プラグ１とコンセント３との間に挟まれて押されて、本来の厚さ以下になっている状態が好ましい。
【００２７】
すなわち、本発明の電源プラグシート１１は、電源プラグ１がコンセント３に完全に差し込まれている状態では常に該電源プラグシート１１が押されている状態になる材質でできていることが好ましい（図３（ｂ））。「電源プラグシート１１が押されている状態」とは、電源プラグシート１１が、電源プラグ１とコンセント３との間に挟まれて本来の電源プラグシート１１の厚さ以下になっている状態をいう。
【００２８】
該コンセント３の外面と電源プラグ１の差し込み面との間の隙間を完全にうめることができる点で、電源プラグシート１１の厚さは、押されている状態では、１．５ｍｍ以下となっていることが好ましく、より好ましくは１．３ｍｍ以下であり、特に好ましくは１ｍｍ以下である。
従って、本発明の電源プラグシートは、特に限定はないが、電源プラグがコンセントに完全に差し込まれ、押されている状態での該電源プラグシートの厚さが１．５ｍｍ以下となるような材質でできていることが好ましく、１．３ｍｍ以下となるような材質でできていることがより好ましく、１ｍｍ以下となるような材質でできていることが特に好ましい。
【００２９】
本発明の電源プラグシートは、特に限定はないが、電源プラグがコンセントに完全に差し込まれ、電源プラグシートが押されている状態での該電源プラグシートの厚さが、電源プラグシート自体の厚さの１／５〜４／５となるような材質でできていることが好ましく、１／４〜３／４となるような材質でできていることがより好ましく、１／３〜２／３となるような材質でできていることが特に好ましい。
【００３０】
本発明の電源プラグシート１１の材質の種類は、絶縁性のものであれば特に制限なく公知のものを用いることができる。例えば、スポンジ；ウレタン樹脂、メラミン樹脂等の合成樹脂を発泡成形したもの；合成ゴムを原料としたゴムスポンジ；ブタジエンゴム、シリコーンゴム等の合成ゴム等が挙げられる。
【００３１】
また、電源プラグシート１１が変形できる点で、電源プラグシートの材質のヤング率は、上限については、１００ＭＰａ以下が好ましく、より好ましくは１０ＭＰａ以下、特に好ましくは１ＭＰａ以下、更に好ましくは０．１ＭＰａ以下である。ヤング率が大き過ぎる場合には、トラッキング防止の効果を奏さない場合があり、特に、電源プラグ１がコンセント３に完全に差し込まれている状態で電源プラグシート１１が押されている状態にならない場合がある。
また、電源プラグシート１１の強度確保の点、電源プラグシート１１において差し込まれた電源プラグの端子の周辺で盛り上がる部分を形成させ易くする点で、電源プラグシート１１の材質のヤング率は、下限については０．０００１ＭＰａ以上が好ましく、より好ましくは０．００１ＭＰａ以上、特に好ましくは０．００３ＭＰａ以上である。
【００３２】
ここで、「ヤング率」は縦弾性係数ともいい、弾性範囲で、単位ひずみあたり、どれだけ応力が必要かの値を定める定数のことであり、フックの法則によれば、ヤング率＝応力／ひずみ  で得られる。
【００３３】
「ヤング率」が小さい材質ほど、当該電源プラグシート１１が押されている状態では、電源プラグシート１１が押されて本来の厚さより薄くなり易く、電源プラグとコンセントとの隙間を完全に埋め易い。
しかし、ヤング率が小さ過ぎる場合には、電源プラグシート１１における電源プラグ１の端子２の周辺で盛り上がる部分が小さくなる又は盛り上がる部分がなくなる（盛り上がらなくなる）ために、電源プラグ１がコンセント３に差し込まれたときに該コンセント３の差し込み口に有する窪み５と密着し、電源プラグ１とコンセント３との隙間を完全に埋めることができない場合がある。
【００３４】
そのような場合を考慮して、本発明の電源プラグシート１１は、電源プラグ１がコンセント３に差し込まれる際にコンセント３の外面と接触する「電源プラグシート１１のシート面側」に補助層（図示せず）を有してもよい。特に、電源プラグシート１１の材質のヤング率が小さい場合には、電源プラグ１が電源プラグシート１１に貫通された際に、電源プラグ１の端子２の周辺がより盛り上がるように、電源プラグシート１１の「コンセント３の外面と接触する面側」に補助層を有していることが好ましい。
【００３５】
補助層を有する場合には、該補助層の材質のヤング率は、盛り上がる部分を形成させるために、電源プラグシート１１の材質のヤング率より大きい（すなわち、より硬い）ことが必須である。補助層の材質は、電源プラグシート１１の本体の材質よりもヤング率が大きく絶縁性のものであれば、特に限定することなく用いることができる。
【００３６】
すなわち、本発明の電源プラグシート１１としては、
電源プラグシート自体の厚さは１．５ｍｍ以上であり、
電源プラグがコンセントに完全に差し込まれた状態では常に押されている状態になるものであり、
該押されている状態で該電源プラグシート１１の厚さが、電源プラグシート１１自体の厚さの４／５以下となるような材質でできており、
電源プラグ１がコンセント３に差し込まれる際にコンセント３の外面と接触する電源プラグシート１１のシート面側に補助層を有するものであることが特に好ましい。
【００３７】
補助層の厚さは特に限定はないが、０．１〜２ｍｍが好ましく、０．２〜１．５ｍｍがより好ましく、０．３〜１ｍｍが特に好ましい。
【００３８】
図３（ｃ）は、電源プラグ１がコンセント３に完全に差し込まれた状態からずれた状態を示す図である。電源プラグ１がコンセント３に差し込まれた状態で長期間電気機器を使用していると、このように電源プラグ１がコンセント３に斜めに差し込まれた状態になっていることがしばしば見受けられる。
このような状態は、電源プラグ１とコンセント３との隙間にほこりが蓄積され易いために、最もトラッキングが発生しやく危険であり、解決すべきである。
【００３９】
このような状態のときでも、本発明の電源プラグシート１１を用いれば、本発明の電源プラグシート１１が変形することにより、電源プラグ１とコンセント３との隙間を完全にうめることができる。
それは、本発明の電源プラグシート１１は、図３（ｂ）のように押されている状態から図３（ｃ）のように解放された状態になる際に、厚さが大きくなるように変形するからである。
このように、本発明の電源プラグシート１１は自由自在に変形するので、電源プラグ１がコンセント３からどのような方向にずれても電源プラグ１とコンセント３との隙間を完全にうめることができる。そのために、電源プラグシート１１の材質は上述のヤング率を有するものであることが好ましい。
【００４０】
本発明の電源プラグシート１１は、裏面（電源プラグ１の差し込み面と接触する面）に接着層（図示せず）を有してもよい。接着層を有することにより、本発明の電源プラグシート１１と電源プラグ１の差し込み面とをより密着させ、電源プラグ１とコンセント３との隙間をうめることができる。接着層を形成するために用いる接着剤は、若干の力を加えれば簡単に剥がすことができる粘着力の低いものを用いることが好ましい。
【００４１】
また、本発明の電源プラグシート１１は、そのシート面の形状が長方形であるため、複数枚をシート状で製造することができる。図４に、その製品形態の一例を示した。
電源プラグシート１１は１枚ずつを個別に製造してもよいが、電源プラグシート１１を縦横に複数枚並べたシート状で製造する方が低コストで製造できる点で好ましい。
【００４２】
また、本発明の電源プラグシート１１は、切り込み１２だけを有し、開口面積のある穴を有さないため、低コストで製造することができる。また、電源プラグシートの表面に、文字、図及び／又は色彩等の装飾を施すことにより、趣向性を高めたり、広告又は宣伝として用いたりすることもできる。
【００４３】
更に、複数枚をシート状で製造すれば、図４に示したように、隣接する複数の電源プラグシートにまでわたって、一連の文字、図及び／又は色彩等の装飾を施すことができるので、趣向性や広告・宣伝効果が一層上がる。すなわち、複数の電源プラグシート１１をシート状で製造した場合には、複数の電源プラグシートにわたり、連続した、大きな又は繰り返しのある、文字、図、色彩等の装飾ができるので、趣向性を更に高められる。例えば、図４においては、「○△電機」とシートの表面に印字してある。
また、シート全体を着色したり、図柄等を施したりして、インテリア小物としてもよい。
【００４４】
本発明の電源プラグシート１１の表面は、装飾ができるようになっていることが必須である。また、上述したように、電源プラグシート１１の表面には、切り込み１２があり、貫通用としては開口面積のある穴を有さないため、途切れのない装飾を施すことができる。
【００４５】
シート状で製造する際には、電源プラグシート１１を簡単に切断して使用できるように各電源プラグシート１１の境界をミシン目等の切れ目をいれておくことが好ましい。こうすることで、使用者は、複数枚の電源プラグシート１１をバラバラにならずに、電源プラグシート複数枚をシート状で保存することができ、使いたいときに使いたい分だけ自ら簡単に切り離して使うことができる。
【実施例】
【００４６】
以下に実施例及び比較例を挙げ、図面を参照しながら本発明を更に具体的に説明するが、本発明はその要旨を超えない限りこれらの実施例に限定されるものではない。
【００４７】
実施例１
図１に示した電源プラグシート１２枚を、図４に示したようにシート状で製造し、それを切り離して、縦１３ｍｍ、横２２ｍｍ、厚さ１．８ｍｍの電源プラグシートＡを得た。電源プラグシートの材質は、特に軟質のシリコーンゴム（ヤング率は１０ＭＰａ）であり、電源プラグシートＡの各切り込みの長さは６ｍｍ、４個の盛り上がり用切り込みの長さ（Ｌ）は何れも４．５ｍｍとした。
【００４８】
実施例２
実施例１において、電源プラグシートＡの２個の切り込みの長さを何れも７ｍｍ、盛り上がり用切り込みの長さ（Ｌ）を各５ｍｍとした以外は実施例１と同様にして電源プラグシートＢを作製した。
【００４９】
実施例３
図４に示したように、実施例１における電源プラグシートＡの表面に、図４に示したように、「○△電機」と印字した電源プラグシートＣを作製した。
【００５０】
実施例４
実施例１において、材質をウレタンスポンジ（ヤング率は０．０１ＭＰａ）とした以外は、実施例１と同様にして電源プラグシートＤを作製した。
【００５１】
実施例５
実施例４の電源プラグシートＤの片面に、更に絶縁性プラスチック（ヤング率１００ＭＰａ、厚さ０．３ｍｍ）の補助層を設け、電源プラグシートＥを作製した。
【００５２】
実施例６
実施例１において、材質を絶縁性プラスチック（ヤング率１００ＭＰａ）とした以外は実施例１と同様にして電源プラグシートＦを作製した。
【００５３】
実施例７
実施例１において、厚さを１．２ｍｍとした以外は実施例１と同様にして電源プラグシートＧを作製した。
【００５４】
比較例１
実施例１において、「Ｉ」型又は「左（又は右）に９０度回転したＨ」型の「切り込み及び盛り上がり用切り込み」の代わりに、電源プラグの端子が貫通される部分として、縦６ｍｍ横１ｍｍの長方形で切り抜いた穴を設けた以外は実施例１と同様にして電源プラグシートａを作製した。
【００５５】
評価例１
家庭にある電源プラグに、電源プラグシートＡ〜Ｇ又はａを貫通させ、１００Ｖのコンセントに差し込んだところ、電源プラグシートを使用しない場合には、電源プラグとコンセントとの間に０．５〜２ｍｍ程度の隙間が存在していたが、電源プラグシートＡ〜Ｆを装着した場合には、何れも電源プラグとコンセントとの隙間はほぼ０ｍｍに等しかった。
【００５６】
電源プラグシートＧを装着した場合には、電源プラグとコンセントとの隙間は０ｍｍではなかったが、電源プラグシートを装着しない場合に比べて隙間は小さくなっていた。
また、電源プラグシートＥ、Ｆは、電源プラグシートＤと比較すると、コンセントの差し込み口が有する窪みにも電源プラグシートが完全に密着していた。
【００５７】
また、電源プラグがコンセントから少しずれた状態では、電源プラグシートを装着しない場合には電源プラグとコンセントとの間の隙間が広がってしまっていたのに対し、本発明の電源プラグシートＡ〜Ｅを装着した場合には、電源プラグシートＡ〜Ｅとも変形し電源プラグとコンセントとの隙間は引き続きほぼ０ｍｍのままであった。特に、電源プラグシートＤは、電源プラグとコンセントとの間の隙間の形状通りに変形し易かった。
【００５８】
一方、電源プラグシートａを装着した電源プラグを１００Ｖのコンセントに差し込んだところ、電源プラグシートを装着しない場合と比較して電源プラグとコンセントとの隙間は狭くなってはいたが、電源プラグシートにおける電源プラグの端子の周辺で盛り上がる部分が小さいために依然隙間は存在していた。
【００５９】
評価例２
電源プラグシートＣは、「○△電機」の広告宣伝用として用いることができた。
【産業上の利用可能性】
【００６０】
本発明の電源プラグシートは、電源プラグとコンセントとの隙間をなくし、トラッキングを防止することができ、趣向性に優れ、広告宣伝にも使えるため、家庭向け等に広く利用できるものである。
【符号の説明】
【００６１】
１    電源プラグ
２    端子
３    コンセント
４    端子受け
５    窪み
１１    電源プラグシート
１２    切り込み
１３    盛り上がり用切り込み
【図１】
2013026126.tif 000003
【図２】
2013026126.tif 000004
【図３】
2013026126.tif 000005
【図４】
2013026126.tif 000006